(57)【要約】  スペースビットマップの効率的な管理のための媒体、装置及び方法が提供される。該情報記録媒体は、ユーザデータが記録されるユーザデータ領域と、ユーザデータ領域の記録／再生単位ブロックの記録状態を表すスペースビットマップが記録される臨時ディスク管理領域とを含み、スペースビットマップは、スペースビットマップの空間がユーザデータ領域の記録／再生単位ブロックの記録状態を表すのに不足した場合、割り当てられる追加的なスペースビットマップに関する情報を含む。
2012524360.tif 000002
【特許請求の範囲】
【請求項１】
情報記録媒体において、
ユーザデータが記録されるユーザデータ領域と、
前記ユーザデータ領域の記録／再生単位ブロックの記録状態を表すスペースビットマップが記録される臨時ディスク管理領域と、を含み、
前記スペースビットマップは、前記スペースビットマップの空間が、前記ユーザデータ領域の記録／再生単位ブロックの記録状態を表すのに不足した場合、割り当てられる追加的なスペースビットマップに関する情報を含むことを特徴とする情報記録媒体。
【請求項２】
前記追加的なスペースビットマップに関する情報は、前記追加的なスペースビットマップが割り当てられたか否かを表す情報、前記追加的なスペースビットマップのための空間の位置情報、前記追加的なスペースビットマップのための空間の大きさ情報、前記追加的なスペースビットマップが指すユーザデータ領域における記録／再生単位ブロックの位置情報、前記追加的なスペースビットマップが指すユーザデータ領域における記録／再生単位ブロックの個数情報のうち少なくとも一つ以上を含むことを特徴とする請求項１に記載の情報記録媒体。
【請求項３】
情報記録媒体にデータを記録する装置において、
ユーザデータが記録されるユーザデータ領域と、前記ユーザデータ領域の記録／再生単位ブロックの記録状態を表すスペースビットマップが記録される臨時ディスク管理領域とを含む前記情報記録媒体にデータを伝達するために光を照射するか、または受信するピックアップと、
前記スペースビットマップに、前記スペースビットマップの空間が、前記ユーザデータ領域の記録／再生単位ブロックの記録状態を表すのに不足した場合、割り当てられる追加的なスペースビットマップに関する情報を記録するように前記ピックアップを制御する制御部と、を備えることを特徴とする記録装置。
【請求項４】
前記追加的なスペースビットマップに関する情報は、前記追加的なスペースビットマップが割り当てられたか否かを表す情報、前記追加的なスペースビットマップのための空間の位置情報、前記追加的なスペースビットマップのための空間の大きさ情報、前記追加的なスペースビットマップが指すユーザデータ領域における記録／再生単位ブロックの位置情報、前記追加的なスペースビットマップが指すユーザデータ領域における記録／再生単位ブロックの個数情報のうち少なくとも一つ以上を含むことを特徴とする請求項３に記載の記録装置。
【請求項５】
情報記録媒体からデータを再生する装置において、
ユーザデータが記録されるユーザデータ領域と、前記ユーザデータ領域の記録／再生単位ブロックの記録状態を表すスペースビットマップが記録される臨時ディスク管理領域とを含む前記情報記録媒体にデータを伝達するために光を照射するか、または受信するピックアップと、
前記スペースビットマップから、前記スペースビットマップの空間が、前記ユーザデータ領域の記録／再生単位ブロックの記録状態を表すのに不足した場合、割り当てられる追加的なスペースビットマップに関する情報を読み取るように前記ピックアップを制御する制御部と、を備えることを特徴とする再生装置。
【請求項６】
前記追加的なスペースビットマップに関する情報は、前記追加的なスペースビットマップが割り当てられたか否かを表す情報、前記追加的なスペースビットマップのための空間の位置情報、前記追加的なスペースビットマップのための空間の大きさ情報、前記追加的なスペースビットマップが指すユーザデータ領域における記録／再生単位ブロックの位置情報、前記追加的なスペースビットマップが指すユーザデータ領域における記録／再生単位ブロックの個数情報のうち少なくとも一つ以上を含むことを特徴とする請求項５に記載の再生装置。
【請求項７】
ユーザデータが記録されるユーザデータ領域と、前記ユーザデータ領域の記録／再生単位ブロックの記録状態を表すスペースビットマップが記録される臨時ディスク管理領域とを含む情報記録媒体にデータを記録する方法において、
前記スペースビットマップに、前記スペースビットマップの空間が、前記ユーザデータ領域の記録／再生単位ブロックの記録状態を表すのに不足した場合、割り当てられる追加的なスペースビットマップに関する情報を記録するステップを含むことを特徴とする記録方法。
【請求項８】
前記追加的なスペースビットマップに関する情報は、前記追加的なスペースビットマップが割り当てられたか否かを表す情報、前記追加的なスペースビットマップのための空間の位置情報、前記追加的なスペースビットマップのための空間の大きさ情報、前記追加的なスペースビットマップが指すユーザデータ領域における記録／再生単位ブロックの位置情報、前記追加的なスペースビットマップが指すユーザデータ領域における記録／再生単位ブロックの個数情報のうち少なくとも一つ以上を含むことを特徴とする請求項７に記載の記録方法。
【請求項９】
ユーザデータが記録されるユーザデータ領域と、前記ユーザデータ領域の記録／再生単位ブロックの記録状態を表すスペースビットマップが記録される臨時ディスク管理領域とを含む情報記録媒体からデータを再生する方法において、
前記スペースビットマップから、前記スペースビットマップの空間が、前記ユーザデータ領域の記録／再生単位ブロックの記録状態を表すのに不足した場合、割り当てられる追加的なスペースビットマップに関する情報を再生するステップを含むことを特徴とする再生方法。
【請求項１０】
前記追加的なスペースビットマップに関する情報は、前記追加的なスペースビットマップが割り当てられたか否かを表す情報、前記追加的なスペースビットマップのための空間の位置情報、前記追加的なスペースビットマップのための空間の大きさ情報、前記追加的なスペースビットマップが指すユーザデータ領域における記録／再生単位ブロックの位置情報、前記追加的なスペースビットマップが指すユーザデータ領域における記録／再生単位ブロックの個数情報のうち少なくとも一つ以上を含むことを特徴とする請求項９に記載の再生方法。
【発明の詳細な説明】
【技術分野】
【０００１】
本発明は、情報記録媒体に係り、特にスペースビットマップの効率的な管理のための情報記録媒体、記録再生装置及び記録再生方法に関する。
【背景技術】
【０００２】
情報記録媒体または有無線のネットワークを通じた情報伝送の高容量化または大量化のために、高密度、多層のような多様な方法が考案されている。一般的に、層当たり高密度と多層の両者を並行して高容量を達成する。これによって、かかる層当たり高密度及び／または多層により発生するディスク管理情報量の増加による効率的な管理方法が要求される。
【０００３】
例えば、現在、ブルーレイディスクの物理規格は、レイヤー当たり２５ＧＢの記録密度であって、シングルレイヤーとデュアルレイヤーの二つの種類を提案している。高容量化のために、レイヤー当たり３０ＧＢないし４０ＧＢのトリプルレイヤー、クゥドロプルレイヤーのブルーレイディスクが登場する時、ディスクの管理のためのディスク管理情報の量は、容量の増加によってそれほど増える。ユーザデータ領域の記録／再生単位ブロックの記録状態をビットマップで表す時、かかる情報の量は、ユーザデータ領域の記録／再生単位ブロックの増加だけ増加する。
【０００４】
媒体の高容量化によって、ユーザデータ領域の記録／再生単位ブロックが増加することで、既定のスペースビットマップでユーザデータ領域の記録／再生単位ブロックをいずれも表せない場合に、効果的に記録／再生単位ブロックの記録状態を表す方法が要求される。
【発明の概要】
【発明が解決しようとする課題】
【０００５】
かかる課題を解決するために、本発明は、所定のスペースビットマップでユーザデータ領域の記録／再生単位ブロックを表せない場合に、割り当てられる追加的なスペースビットマップに関する情報をスペースビットマップに記録する媒体、装置及び方法を提供する。
【課題を解決するための手段】
【０００６】
本発明の一つの特徴は、情報記録媒体において、ユーザデータが記録されるユーザデータ領域と、前記ユーザデータ領域の記録／再生単位ブロックの記録状態を表すスペースビットマップが記録される臨時ディスク管理領域とを含み、前記スペースビットマップは、前記スペースビットマップの空間が、前記ユーザデータ領域の記録／再生単位ブロックの記録状態を表すのに不足した場合、割り当てられる追加的なスペースビットマップに関する情報を含むものである。
【０００７】
前記追加的なスペースビットマップに関する情報は、前記追加的なスペースビットマップが割り当てられたか否かを表す情報、前記追加的なスペースビットマップのための空間の位置情報、前記追加的なスペースビットマップのための空間の大きさ情報、前記追加的なスペースビットマップが指すユーザデータ領域における記録／再生単位ブロックの位置情報、前記追加的なスペースビットマップが指すユーザデータ領域における記録／再生単位ブロックの個数情報のうち少なくとも一つ以上を含むことが望ましい。
【０００８】
本発明の他の特徴は、情報記録媒体にデータを記録する装置において、ユーザデータが記録されるユーザデータ領域と、前記ユーザデータ領域の記録／再生単位ブロックの記録状態を表すスペースビットマップが記録される臨時ディスク管理領域とを含む前記情報記録媒体にデータを伝達するために光を照射するか、または受信するピックアップと、前記スペースビットマップに、前記スペースビットマップの空間が、前記ユーザデータ領域の記録／再生単位ブロックの記録状態を表すのに不足した場合、割り当てられる追加的なスペースビットマップに関する情報を記録するように前記ピックアップを制御する制御部と、を備えるものである。
【０００９】
本発明のさらに他の特徴は、情報記録媒体からデータを再生する装置において、ユーザデータが記録されるユーザデータ領域と、前記ユーザデータ領域の記録／再生単位ブロックの記録状態を表すスペースビットマップが記録される臨時ディスク管理領域とを含む前記情報記録媒体にデータを伝達するために光を照射するか、または受信するピックアップと、前記スペースビットマップから、前記スペースビットマップの空間が、前記ユーザデータ領域の記録／再生単位ブロックの記録状態を表すのに不足した場合、割り当てられる追加的なスペースビットマップに関する情報を読み取るように前記ピックアップを制御する制御部と、を備えるものである。
【００１０】
本発明のさらに他の特徴は、ユーザデータが記録されるユーザデータ領域と、前記ユーザデータ領域の記録／再生単位ブロックの記録状態を表すスペースビットマップが記録される臨時ディスク管理領域とを含む情報記録媒体にデータを記録する方法において、前記スペースビットマップに、前記スペースビットマップの空間が、前記ユーザデータ領域の記録／再生単位ブロックの記録状態を表すのに不足した場合、割り当てられる追加的なスペースビットマップに関する情報を記録するステップを含むものである。
【００１１】
本発明のさらに他の特徴は、ユーザデータが記録されるユーザデータ領域と、前記ユーザデータ領域の記録／再生単位ブロックの記録状態を表すスペースビットマップが記録される臨時ディスク管理領域とを含む情報記録媒体からデータを再生する方法において、前記スペースビットマップから、前記スペースビットマップの空間が、前記ユーザデータ領域の記録／再生単位ブロックの記録状態を表すのに不足した場合、割り当てられる追加的なスペースビットマップに関する情報を再生するステップを含むものである。
【発明の効果】
【００１２】
本発明によれば、媒体の高容量化によって、ユーザデータ領域の記録／再生単位ブロックが増加することで、既定のスペースビットマップでユーザデータ領域の記録／再生単位ブロックをいずれも表せない場合に、効率的に追加的なスペースビットマップを割り当てて、増加した記録／再生単位ブロックの記録状態を表すことができる。
【図面の簡単な説明】
【００１３】
【図１】本発明が適用されるディスクの概略的なレイアウトを示す図である。
【図２】図１に示した臨時ディスク管理領域に記録される臨時ディスク管理情報の一例を示す図である。
【図３】レイヤー当たり容量によるディスクパラメータを示す図である。
【図４】３層／４層の情報記録媒体でそれぞれの層にスペア領域を割り当てた形態を示す図である。
【図５】ＳＢＭフォーマットの一例を示す図である。
【図６】本発明によって追加的なビットマップを説明するための参考図である。
【図７】本発明によるＴＤＭＡの一例を示す図である。
【図８】ｎ番目の層に記録されるＴＤＭＩｎの一例を示す図である。
【図９】本発明によるＳＢＭｎフォーマットの一例を示す図である。
【図１０】本発明によるＴＤＤＳｎフォーマットの一例を示す図である。
【図１１】本発明による記録再生装置の概略的なブロック図である。
【図１２】図１１に示した本発明による記録再生装置が具現されたドライブのブロック図である。
【図１３】本発明による記録方法のフローチャートである。
【図１４】本発明による再生方法のフローチャートである。
【発明を実施するための形態】
【００１４】
図１は、本発明が適用されるディスク１００の概略的なレイアウトを示す。図１を参照すれば、ディスク１００は、リードイン領域１１０とデータ領域１２０とを備える。
【００１５】
リードイン領域１１０は、臨時ディスク管理領域（Ｔｅｍｐｏｒａｒｙ  ＤｉｓｃＭａｎａｇｅｍｅｎｔ  Ａｒｅａ：ＴＤＭＡ）１１１とディスク管理領域（Ｄｉｓｃ  Ｍａｎａｇｅｍｅｎｔ  Ａｒｅａ：ＤＭＡ）１１２とを備える。
【００１６】
ＴＤＭＡ  １１１は、記録方式による記録管理情報、欠陥または論理的オーバーライトによる情報記録媒体の使用中にディスク管理情報を記録するための領域である。
【００１７】
ＤＭＡ  １１２は、前記ＴＤＭＡ  １１１に記録された最終的なディスク管理情報をディスクの最終化時に移動して記録するための領域である。
【００１８】
データ領域１２０は、スペア領域１２１とユーザデータ領域１２２とを備える。
【００１９】
ユーザデータ領域１２２は、ユーザデータが記録／再生単位ブロックに記録されるための領域をいう。
【００２０】
スペア領域１２１は、ユーザデータ領域１２２で欠陥ブロックが検出された場合に、該当欠陥ブロックを代替するための代替ブロック、またはユーザデータ領域のデータブロックを、論理的オーバーライトによりアップデートするための代替ブロックを記録するための領域である。
【００２１】
本発明が適用されるディスクのレイアウトは、図１に示した形態に限定されるものではなく、図１に示したレイアウトは、一例として表したものだけである。例えば、リードイン領域１１０は、ディスク情報を記録するための他の領域をさらに備えることはいうまでもなく、また、データ領域１２０にもスペア領域がさらに備えられ、また、かかるディスクは、一つ以上の記録層からなることはいうまでもない。
【００２２】
図２は、図１に示したＴＤＭＡ  １１１に記録される臨時ディスク管理情報２００の一例を示す。図２を参照すれば、臨時ディスク管理情報（Ｔｅｍｐｏｒａｒｙ  Ｄｉｓｃ  Ｍａｎａｇｅｍｅｎｔ  Ｉｎｆｏｒｍａｔｉｏｎ：ＴＤＭＩ）２００は、臨時ディスク定義構造（Ｔｅｍｐｏｒａｒｙ  Ｄｉｓｃ  Ｄｅｆｉｎｉｔｉｏｎ  Ｓｔｒｕｃｔｕｒｅ：ＴＤＤＳ）２１０、臨時欠陥リスト（Ｔｅｍｐｏｒａｒｙ  Ｄｅｆｅｃｔ  Ｌｉｓｔ：ＴＤＦＬ）２２０、スペースビットマップ／シーケンシャルレコーディングレインジ情報（Ｓｐａｃｅ  Ｂｉｔ  Ｍａｐ／Ｓｅｑｕｅｎｔｉａｌ  Ｒｅｃｏｒｄｉｎｇ  Ｒａｎｇｅ  Ｉｎｆｏｒｍａｔｉｏｎ：ＳＢＭ／ＳＲＲＩ）２３０を含む。
【００２３】
臨時欠陥リスト２２０は、ユーザデータ領域１２２に発生した欠陥や論理的オーバーライトによる代替時に、オリジナルブロックと代替ブロックとに関する情報を含む。臨時欠陥リスト２２０は、少なくとも一つの欠陥リストエントリーを含むが、各欠陥リストエントリーは、例えば、欠陥ブロックの位置情報と代替ブロックの位置情報とを含む。
【００２４】
臨時ディスク定義構造２１０は、ディスクの管理のための情報または臨時欠陥リストの管理のための情報を含む。例えば、臨時ディスク定義構造は、臨時欠陥リストの位置情報を含む。
【００２５】
スペースビットマップ／シーケンシャルレコーディングレインジ情報２３０は、ユーザデータ領域の記録状態を表すための記録管理情報を含む。記録方式がランダムレコーディングである場合、ユーザデータ領域１２２それぞれの記録／再生単位ブロックの記録状態をビットで表示したスペースビットマップ情報が記録され、記録方式がシーケンシャルレコーディングである場合、シーケンシャルレコーディングレインジ情報が記録される。
【００２６】
図２に示した臨時ディスク管理情報の形態も、一例として表したものであって、本発明がこれに限定されるものではない。したがって、臨時ディスク管理情報は、ＴＤＤＳ、ＴＤＦＬ、ＳＢＭを含むこともでき、ＴＤＤＳ及びＳＢＭからなり、ＴＤＦＬは別途に記録されることはいうまでもない。
【００２７】
図３は、レイヤー当たり容量によるディスクパラメータを示す。図３を参照すれば、レイヤー当たり２５ＧＢであるディスクのデータゾーン容量は３８１８５６ＲＵＢ、レイヤー当たり３２ＧＢであるディスクのデータゾーン容量は４８８８０２ＲＵＢ、レイヤー当たり３３．４ＧＢであるディスクのデータゾーン容量は５０９８２６ＲＵＢである。ＲＵＢは、Ｒｅｃｏｒｄｉｎｇ  Ｕｎｉｔ  Ｂｌｏｃｋの略字であって、記録単位ブロックを表す。通常、ディスクにデータを記録する記録単位ブロックが再生単位ブロックとなるため、記録／再生単位ブロックとも呼ぶ。
【００２８】
以下で説明する実施形態では、次のような例を利用する。
【００２９】
記録／再生単位ブロックに記録されたユーザデータの大きさは、６４ＫＢ（＝３２セクター）を例として挙げる。
【００３０】
臨時ディスク管理情報は、１セクターのＴＤＤＳ、（３２＊ディスクの層数−１セクター）セクターのＴＤＦＬ、３１セクターのＳＢＭ／ＳＲＲＩを含む。
【００３１】
ＳＢＭは、それぞれの層に対応するＳＢＭを有する。すなわち、３層であれば、ＳＢＭ０，ＳＢＭ１，ＳＢＭ２を有し、それぞれのＳＢＭは、ＴＤＤＳと共に記録される。
【００３２】
ランダムレコーディングモードで、臨時ディスク管理情報ＴＤＤＳ、ＳＢＭが共にＴＤＭＡに記録されるが、その大きさをＴＤＤＳ  １セクター、ＳＢＭ  ３１セクターにすることで、一つの記録／再生単位ブロックで記録できる。
【００３３】
ＳＢＭの場合、ヘッダ情報として６４バイトを有するので、残りの情報としてビットマップデータを表すが、この場合、表すことができる記録／再生単位ブロックの個数は、８ビット＊（３１セクター＊２０４８（２キロバイト）−６４バイト）＝５０７３９２である。すなわち、１セクターを２ＫＢにすれば、ＳＢＭ容量である３１セクターは、３１＊２０４８（＝２ＫＢ）バイトとなり、ここで、ヘッダ情報容量６４バイトを差し引けば、３１＊２０４８−６４バイトとなり、ＳＢＭでは、一つのビットが一つの記録／再生単位ブロックの記録有無状態を表示するので、８＊（３１＊２０４８−６４）ビットが記録／再生単位ブロックの状態を表すので、結局、一つのＳＢＭで８＊（３１＊２０４８−６４）個の記録／再生単位ブロックを表示できる。
これにより、図３に示したディスクパラメータで見るように、３３．４ＧＢ／Ｌである場合、データゾーン全体をビットマップで表すことはできない（データゾーンにスペア領域が割り当てられない場合、データゾーン＝ユーザデータ領域）。
【００３４】
したがって、ユーザデータ領域の記録／再生単位ブロックを所定のＳＢＭでいずれも表示できない場合、それぞれの層に２４３４＝５０９８２６−５０７３９２ブロック以上のスペア領域を割り当てることによって、それぞれの層を一つのＳＢＭで表すことができる。これによって、各層に対応するＳＢＭの大きさを３１セクターにして、ＴＤＤＳと共に一つのブロックとして記録できる。
【００３５】
図４は、前記のような方法による３層／４層の情報記録媒体で、それぞれの層にスペア領域を割り当てた場合を示す。本発明により、ＳＡｎ＿ｓｉｚｅ＋ＳＡｎ＋１＿ｓｉｚｅ＞＝２４３４でなければならず、具体的には、２の累乗で前記の方法によるスペア領域の割り当ては強制的であるから、４０９６≦ＳＡｎ＿ｓｉｚｅ＋ＳＡｎ＋１＿ｓｉｚｅ（ｎ＝０，２，４，６）のような式を満足せねばならない。
【００３６】
さらに具体的には、シーケンシャルレコーディングモードで、スペア領域の割り当ては選択的である。すなわち、スペア領域の大きさが０でありうる。
【００３７】
ランダムレコーディングモードで、スペア領域の割り当ては強制的である。すなわち、その大きさが０でない少なくとも一つのスペア領域がディスク上に割り当てられねばならず、それぞれの層に割り当てられたスペア領域の大きさは、一定の大きさ（一例として４０９６）以上である。（前記で一定の大きさとは、与えられたＳＢＭフォーマットの大きさで表せないユーザデータ領域の残余ブロック数をいう。）
さらに具体的には、ディスクの内周側にあるスペア領域の割り当てを強制し、その大きさを固定するか、または一定の大きさ（一例として４０９６）以上割り当てるようにする。すなわち、前記図４の（ａ）に示した３層の場合、スペア領域０  ４１１、スペア領域３  ４１３、スペア領域４  ４１５を、図４の（ｂ）に示した４層の場合、スペア領域０  ４２１、スペア領域３  ４２３、スペア領域４  ４２５、スペア領域７  ４２７の割り当てを強制的にし、その大きさを４０９６のように一定の大きさに固定するか、またはそれ以上割り当てるようにする。同様に、ディスクの外周側にあるスペア領域の割り当てを強制的にし、その大きさを固定するか、または一定の大きさ（一例として４０９６）以上割り当てるようにする。
【００３８】
前記のような方法によって提案されるＳＢＭフォーマットは、図５に示した通りである。
【００３９】
図５を参照すれば、ＳＢＭフォーマットは、ＳＢＭヘッダとビットマップデータとを含む。
【００４０】
ユーザデータ領域の記録／再生単位ブロックを所定のＳＢＭでいずれも表示できない場合の問題点を解決するためのもう一つの方法を説明する。
【００４１】
例えば、前述したように、３１セクターのＳＢＭでユーザデータ領域の記録／再生単位ブロックをいずれも表せない場合、すなわち、層当たり３３．４ＧＢの場合、３１セクターのＳＢＭで表すことができる部分まで表し、残りのブロック５０９８２６−５０７３９２＝２４３４（ビットマップデータで表現する場合、２４３４ビット＝３０４．２５バイトが必要）ブロックに対するビットマップは、ＴＤＤＳやＴＤＦＬのような残りのディスク管理情報に保存して記録する。もちろん、かかる追加的なビットマップは、必ずしもＴＤＤＳやＴＤＦＬに限定されず、ディスクのどの領域のどこにも記録されるのである。
【００４２】
図６は、本発明によって追加的なビットマップを説明するための参考図である。図６を参照すれば、ディスクは、レイヤー０，１，２からなり、各レイヤーのデータ領域は、二つのスペア領域とユーザデータ領域とを備える。
【００４３】
Ｌ０のユーザデータ領域の一部は、ＳＢＭ０  ６１０によりその記録／再生単位ブロックの記録状態が表示され、残りのＳＢＭ０  ６１０により表示されていないユーザデータ領域の残りの一部は、追加的なＳＢＭであるＡＳＢＭ０（Ａｄｄｉｔｉｏｎａｌ  Ｓｐａｃｅ  Ｂｉｔｍａｐ）６２０により表示される。
【００４４】
Ｌ１も同様に、Ｌ１のユーザデータ領域の一部は、ＳＢＭ１  ６３０によりその記録／再生単位ブロックの記録状態が表示され、残りのＳＢＭ１  ６３０により表示されていないユーザデータ領域の残りの一部は、追加的なＳＢＭのＡＳＢＭ１  ６４０により表示される。
【００４５】
Ｌ２の場合には、ＳＢＭ２  ６５０によりＬ２のユーザデータ領域の記録／再生単位ブロックの記録状態をいずれも表示できるため、別途の追加的なＳＢＭ
Ｎが設けられていない。
【００４６】
ＴＤＤＳは、それぞれの層についてのＳＢＭが記録された位置情報を有しているので、ＳＢＭがアップデートされる時、ＴＤＤＳも共にアップデートされる関係があるので、追加的なビットマップデータをＴＤＤＳ内に保存して記録するならば、アップデート管理時に便利になる。
【００４７】
図７は、本発明によるＴＤＭＡ  ７００の一例を示す。図７を参照すれば、ＴＤＭＡ  ７００は、ＴＤＭＩ  ７１０が一つの記録／再生単位ブロックに記録される。ＴＤＭＩ  ７１０は、ＳＢＭ  ７２０とＴＤＤＳ  ７３０とを含む。もちろん、図７に示した例では、ＳＢＭ  ７２０とＴＤＤＳ  ７３０とを含むＴＤＭＩが一つの記録／再生単位ブロックに記録されるものと示したが、本発明がこれに限定されるものではなく、ＴＤＭＩは、二つ以上の記録／再生単位ブロックに記録されることはいうまでもない。
【００４８】
図８は、ｎ番目の層に記録されるＴＤＭＩｎの一例を示す。図８を参照すれば、ＴＤＭＩｎ  ８００は、ＳＢＭｎ  ８１０とＴＤＤＳｎ  ８２０とを含む。
【００４９】
ＳＢＭｎ  ８１０で表せないｎ層の残りのユーザデータブロックについてのビットマップデータを前記ＴＤＤＳｎ
８２０に表す。
【００５０】
ＳＢＭｎ  ８１０とＴＤＤＳｎ ８２０とが同じブロックに記録されるので、今後最終的なＴＤＤＳからＳＢＭｎにアクセスする時、前記ＳＢＭｎを含むブロック内にあるＴＤＤＳｎで残りのビットマップデータを得ることができるため、結局、ＴＤＭＩｎからｎ層についてのビットマップデータをいずれも得ることができる。
【００５１】
前述した最初の方法のように、ディスクのデータ領域にスペア領域をどのように割り当てるかによって、すなわち、割り当てられたスペア領域の大きさによって、３１セクターのＳＢＭｎでｎ層のユーザデータ領域をいずれも表すこともでき、そうでないこともある。このために、ＳＢＭｎ内に一つのＡＳＢＭフラグ情報を置いて、ｎ層のユーザデータ領域をＳＢＭｎでいずれも表せないので、追加的なビットマップデータがあるということを表すことが必要である。例えば、ＡＳＢＭフラグ情報をＳＢＭｎのヘッダと同じ位置に置き、その設定値が‘０’であれば、ＳＢＭｎでｎ層のユーザデータ領域をいずれも表すことができるので、ＡＳＢＭｎがないということを表し、その設定値が‘１’であれば、ｎ層のユーザデータ領域がＳＢＭｎで表すのには大きすぎて、表現していない残りのユーザデータ領域についてのビットマップデータがＡＳＢＭｎにあるということを表すことが望ましい。すなわち、ＳＢＭｎ＋ＴＤＤＳｎが一つのブロックを構成して記録される時、ＡＳＢＭフラグ情報がＳＢＭヘッダと同じ位置にあって、ＡＳＢＭｎの有無を表せねばならない場合にＴＤＤＳｎに保存される。
【００５２】
例えば、３層のディスクの場合、３層がいずれもＳＢＭのアップデートが必要であり、ＳＢＭ０，ＳＢＭ１，ＳＢＭ２の順にアップデートされる場合、ＳＢＭ０＋ＴＤＤＳ０，ＳＢＭ１＋ＴＤＤＳ１，ＳＢＭ２＋ＴＤＤＳ２の順序でブロックが記録される。この時、最後のブロックのＴＤＤＳ２は、最終的なＳＢＭ０，ＳＢＭ１，ＳＢＭ２が記録された位置を表すポイントが記録され、ＴＤＤＳ２からＳＢＭ０，ＳＢＭ１，ＳＢＭ２を得るが、それぞれの層に割り当てられたスペア領域の大きさによって、ＡＳＢＭが必要なこともあり、そうでないこともある。この場合、ドライブのコントローラは、ＴＤＤＳに保存されたスペア領域の割り当て情報に基づいてそれを知ることもでき、またはそれぞれの層についてのＳＢＭから該当層についてのＡＳＢＭがあるか否かを知り、もしあれば、該当ＳＢＭと共に記録されたＴＤＤＳからＡＳＢＭを得て、該当層についてのビットマップデータをいずれも得ることができる。前記でＳＢＭ０＋ＴＤＤＳ０，ＳＢＭ１＋ＴＤＤＳ１，ＳＢＭ２＋ＴＤＤＳ２で記録される時、ＡＳＢＭが必要であるとすれば、ＴＤＤＳ０はＡＳＢＭ０を、ＴＤＤＳ１はＡＳＢＭ１を、ＴＤＤＳ２はＡＳＢＭ２を保存する。また、それぞれの層に割り当てられたスペア領域の大きさが異なるので、必要なＡＳＢＭの大きさも層によって異なる。したがって、ＴＤＤＳ内でのＡＳＢＭの開始位置と終了位置、または開始位置とビットマップ長さ情報、またはビットマップ長さ情報と終了位置情報をＳＢＭ内に保存するか、または必要なＡＳＢＭの最大の大きさほどをＴＤＤＳ内の固定的な位置に割り当てて表すことができる。
【００５３】
また、それぞれのＳＢＭｎは、ＡＳＢＭｎのビットマップデータが表すユーザデータ領域の開始アドレス情報と、ＡＳＢＭｎで表すビットマップデータの長さ情報とを有する。もちろん、この情報は、ＡＳＢＭｎに保存されてもよい。ディスクの最終化時、ＳＢＭｎ＋ＴＤＤＳｎは、ＳＢＭｎ＋ＤＤＳｎとしてＤＭＡ上に記録され、ＤＤＳｎは、ＴＤＤＳｎと共にＡＳＢＭｎについての情報をそのまま保存する。
【００５４】
図９を参照すれば、本発明によるＳＢＭｎフォーマットの一例を示す。図９を参照すれば、ＳＢＭｎフォーマット９００は、ＡＳＢＭｎフラグ９１０、ＡＳＢＭｎ開始ＰＳＮ  ９２０、ＡＳＢＭｎビットマップ長さ９３０、Ｓｔａｒｔ  ＢＰ  ｏｆ  ＡＳＢＭｎ  ｉｎ  ＴＤＤＳｎ  ９４０、Ａｌｌｏｃａｔｅｄ  ｓｉｚｅ  ｆｏｒ  ＡＳＢＭｎ  ｉｎ  ＴＤＤＳｎ  ９５０を含む。
【００５５】
ＡＳＢＭｎフラグ９１０は、追加的なＳＢＭが割り当てられているか否かを表す。
【００５６】
ＡＳＢＭｎ開始ＰＳＮ ９２０は、ＡＳＢＭｎのビットマップデータが表すユーザデータ領域の開始物理アドレスを表す。
【００５７】
ＡＳＢＭｎビットマップ長さ９３０は、ＡＳＢＭｎのビットマップデータが表しているユーザデータ領域の記録／再生単位ブロックの個数を表す。
【００５８】
Ｓｔａｒｔ  ＢＰ  ｏｆ  ＡＳＢＭｎ  ｉｎ  ＴＤＤＳｎ  ９４０は、ＴＤＤＳｎ内でＡＳＢＭｎが開始するバイトポジションまたはビットポジションを表す。
【００５９】
Ａｌｌｏｃａｔｅｄ  ｓｉｚｅ  ｆｏｒ  ＡＳＢＭｎ  ｉｎ  ＴＤＤＳｎ  ９５０は、ＴＤＤＳｎ内に割り当てられたＡＳＢＭｎのバイト（ビット）数を表す。
【００６０】
図１０は、本発明によるＴＤＤＳｎフォーマットの一例を示す。図１０を参照すれば、ＴＤＤＳｎ  １０００は、ＡＳＢＭｎ１０１０を含む。図１０に示した例では、追加的なＳＢＭであるＡＳＢＭｎ  １０１０は、ＴＤＤＳｎ  １０００に設けられたものと表示されているが、追加的なＳＢＭは、ＴＤＤＳ、ＴＤＦＬ、または他のブロックに設けられてもよく、どの位置に保存されてもよい。図９に示したように、追加的なＳＢＭに関する情報がＳＢＭに記録されていれば、追加的なＳＢＭがどこに位置してもその存在を知ることができ、アクセスするのみで十分であるためである。
【００６１】
以下、図１１ないし図１４を参照して、本発明による記録／再生装置及び記録／再生方法を説明する。
【００６２】
図１１は、本発明による記録再生装置の概略的なブロック図である。図１１を参照すれば、本実施形態による装置は、記録／読み取り部１１１０及び制御部１１２０を備える。
【００６３】
本実施形態による情報記録媒体１００は、ユーザデータが記録されるユーザデータ領域と、前記ユーザデータ領域の記録／再生単位ブロックの記録状態を表すスペースビットマップが記録される臨時ディスク管理領域とを備える。
【００６４】
記録／読み取り部１１１０は、制御部１１２０の制御によって、本実施形態による情報記録媒体１００にデータを記録し、記録されたデータを読み取る。
【００６５】
制御部１１２０は、記録媒体１００に／からデータを記録／読み取るように記録／読み取り部１１１０を制御する。特に、本発明による制御部１１２０は、スペースビットマップに、前記スペースビットマップの空間が、前記ユーザデータ領域の記録／再生単位ブロックの記録状態を表すのに不足した場合、割り当てられる追加的なスペースビットマップに関する情報を記録するように記録／読み取り部１１１０を制御する。
【００６６】
また、制御部１１２０は、スペースビットマップから、前記スペースビットマップの空間が、前記ユーザデータ領域の記録／再生単位ブロックの記録状態を表すのに不足した場合、割り当てられる追加的なスペースビットマップに関する情報を読み取るように前記記録／読み取り部１１１を制御する。
【００６７】
記録側面の装置と再生側面の装置とは、別個の装置で具現されてもよく、図１１に示したように一つのシステムで具現されてもよい。
【００６８】
図１２は、図１１に示した本発明による記録再生装置が具現されたドライブのブロック図である。図１２を参照すれば、ドライブは、記録／読み取り部１１１０としてピックアップを備える。情報記録媒体１００は、ピックアップに装着されている。また、ドライブは、制御部１１２０としてホストＩ／Ｆ  １、ＤＳＰ（Ｄｉｇｉｔａｌ  Ｓｉｇｎａｌ  Ｐｒｏｃｅｓｓｏｒ）２、ＲＦ  ＡＭＰ（Ｒａｄｉｏ  Ｆｒｅｑｕｅｎｃｙ  Ａｍｐｌｉｆｉｅｒ）３、サーボ４及びシステムコントローラ５を備える。
【００６９】
記録時、ホストＩ／Ｆ  １、すなわち、ホストインターフェースは、ホスト（図示せず）から記録するデータと共に記録命令を受ける。システムコントローラ５は、記録に必要な初期化を行う。ＤＳＰ  ２は、ホストＩ／Ｆ  １から受けた記録するデータを、エラー訂正のためにパリティなど付加データを添加してＥＣＣ（Ｅｒｒｏｒ  Ｃｏｒｒｅｃｔｉｎｇ  Ｃｏｄｅ）エンコーディングを行った後、ＥＣＣエンコーディングされたデータを既定の方式で変調する。ＲＦ  ＡＭＰ  ３は、ＤＳＰ  ２から出力されたデータをＲＦ信号に変える。ピックアップは、ＲＦ  ＡＭＰ  ３から出力されたＲＦ信号を追記型記録媒体１００に記録する。サーボ４は、システムコントローラ５からサーボ制御に必要な命令を入力されて、ピックアップをサーボ制御する。
【００７０】
特に、本発明によるシステムコントローラ５は、スペースビットマップに、前記スペースビットマップの空間が、前記ユーザデータ領域の記録／再生単位ブロックの記録状態を表すのに不足した場合、割り当てられる追加的なスペースビットマップに関する情報を記録するように前記ピックアップを制御する（図１３の１３１０）。
【００７１】
再生時、ホストＩ／Ｆ  １は、ホスト（図示せず）から再生命令を受ける。システムコントローラ５は、再生に必要な初期化を行う。ピックアップは、情報記録媒体１００にレーザービームを照射し、情報記録媒体１００から反射されたレーザービームを受光して得られた光信号を出力する。ＲＦ  ＡＭＰ  ３は、ピックアップから出力された光信号をＲＦ信号に変え、ＲＦ信号から得られた変調されたデータをＤＳＰ  ２に提供する一方、ＲＦ信号から得られた制御のためのサーボ信号をサーボ４に提供する。ＤＳＰ  ２は、変調されたデータを復調し、ＥＣＣエラー訂正を経て得られたデータを出力する。一方、サーボ４は、ＲＦ  ＡＭＰ  ３から受けたサーボ信号と、システムコントローラ５から受けたサーボ制御に必要な命令とを受けて、ピックアップに対するサーボ制御を行う。ホストＩ／Ｆ  １は、ＤＳＰ  ２から受けたデータをホストに送る。
【００７２】
特に、本発明によるシステムコントローラ５は、前記スペースビットマップから、前記スペースビットマップの空間が、前記ユーザデータ領域の記録／再生単位ブロックの記録状態を表すのに不足した場合、割り当てられる追加的なスペースビットマップに関する情報を再生するようにピックアップを制御する（図１４の１４１０）。
【００７３】
前述したような方法は、また、コンピュータで読み取り可能な記録媒体にコンピュータで読み取り可能なコードとして具現することが可能である。コンピュータで読み取り可能な記録媒体は、コンピュータシステムにより読み取られるデータが保存されるあらゆる種類の記録装置を含む。コンピュータで読み取り可能な記録媒体の例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、フロッピー（登録商標）ディスク、光データ保存装置などがあり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータで読み取り可能なコードが保存されて実行されうる。そして、前記記録再生方法を具現するための機能的なプログラム、コード及びコードセグメントは、本発明が属する技術分野のプログラマにより容易に推論できよう。
【００７４】
以上、本発明について、その望ましい実施形態を中心に述べた。当業者は、本発明が、本発明の本質的な特性から逸脱しない範囲で、変形された形態に具現可能であるということを理解できるであろう。したがって、開示された実施形態は、限定的な観点ではなく、説明的な観点で考慮されねばならない。本発明の範囲は、前述した説明ではなく、特許請求の範囲に表れており、それと同等な範囲内にあるあらゆる相違点は、本発明に含まれていると解釈されねばならない。
【図１】
2012524360.tif 000003
【図２】
2012524360.tif 000004
【図３】
2012524360.tif 000005
【図４】
2012524360.tif 000006
【図５】
2012524360.tif 000007
【図６】
2012524360.tif 000008
【図７】
2012524360.tif 000009
【図８】
2012524360.tif 000010
【図９】
2012524360.tif 000011
【図１０】
2012524360.tif 000012
【図１１】
2012524360.tif 000013
【図１２】
2012524360.tif 000014
【図１３】
2012524360.tif 000015
【図１４】
2012524360.tif 000016
【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
情報記録媒体において、
ユーザデータが記録されるユーザデータ領域と、
前記ユーザデータ領域の記録／再生単位ブロックの記録状態を表すスペースビットマップが記録される臨時ディスク管理領域と、を含み、
前記臨時ディスク管理領域は、前記ユーザデータ領域の記録／再生単位ブロックの記録状態を表すための追加的な空間を提供するために、割り当てられる追加的なスペースビットマップに関する情報を含むことを特徴とする情報記録媒体。
【請求項２】
前記追加的なスペースビットマップに関する情報は、前記追加的なスペースビットマップが割り当てられたか否かを表す情報、前記追加的なスペースビットマップのための空間の位置情報、前記追加的なスペースビットマップのための空間の大きさ情報、前記追加的なスペースビットマップが指すユーザデータ領域における記録／再生単位ブロックの位置情報、前記追加的なスペースビットマップが指すユーザデータ領域における記録／再生単位ブロックの個数情報のうち少なくとも一つ以上を含むことを特徴とする請求項１に記載の情報記録媒体。
【請求項３】
情報記録媒体にデータを記録する装置において、
ユーザデータが記録されるユーザデータ領域と、前記ユーザデータ領域の記録／再生単位ブロックの記録状態を表すスペースビットマップが記録される臨時ディスク管理領域とを含む前記情報記録媒体にデータを伝達するために光を照射するか、または受信するピックアップと、
前記臨時ディスク管理領域に、前記ユーザデータ領域の記録／再生単位ブロックの記録状態を表すための追加的な空間を提供するために、割り当てられる追加的なスペースビットマップに関する情報を記録するように前記ピックアップを制御する制御部と、を備えることを特徴とする記録装置。
【請求項４】
前記追加的なスペースビットマップに関する情報は、前記追加的なスペースビットマップが割り当てられたか否かを表す情報、前記追加的なスペースビットマップのための空間の位置情報、前記追加的なスペースビットマップのための空間の大きさ情報、前記追加的なスペースビットマップが指すユーザデータ領域における記録／再生単位ブロックの位置情報、前記追加的なスペースビットマップが指すユーザデータ領域における記録／再生単位ブロックの個数情報のうち少なくとも一つ以上を含むことを特徴とする請求項３に記載の記録装置。
【請求項５】
情報記録媒体からデータを再生する装置において、
ユーザデータが記録されるユーザデータ領域と、前記ユーザデータ領域の記録／再生単位ブロックの記録状態を表すスペースビットマップが記録される臨時ディスク管理領域とを含む前記情報記録媒体にデータを伝達するために光を照射するか、または受信するピックアップと、
前記臨時ディスク管理領域から、前記ユーザデータ領域の記録／再生単位ブロックの記録状態を表すための追加的な空間を提供するために、割り当てられる追加的なスペースビットマップに関する情報を読み取るように前記ピックアップを制御する制御部と、を備えることを特徴とする再生装置。
【請求項６】
前記追加的なスペースビットマップに関する情報は、前記追加的なスペースビットマップが割り当てられたか否かを表す情報、前記追加的なスペースビットマップのための空間の位置情報、前記追加的なスペースビットマップのための空間の大きさ情報、前記追加的なスペースビットマップが指すユーザデータ領域における記録／再生単位ブロックの位置情報、前記追加的なスペースビットマップが指すユーザデータ領域における記録／再生単位ブロックの個数情報のうち少なくとも一つ以上を含むことを特徴とする請求項５に記載の再生装置。
【請求項７】
ユーザデータが記録されるユーザデータ領域と、前記ユーザデータ領域の記録／再生単位ブロックの記録状態を表すスペースビットマップが記録される臨時ディスク管理領域とを含む情報記録媒体にデータを記録する方法において、
前記臨時ディスク管理領域に、前記ユーザデータ領域の記録／再生単位ブロックの記録状態を表すための追加的な空間を提供するために、割り当てられる追加的なスペースビットマップに関する情報を記録するステップを含むことを特徴とする記録方法。
【請求項８】
前記追加的なスペースビットマップに関する情報は、前記追加的なスペースビットマップが割り当てられたか否かを表す情報、前記追加的なスペースビットマップのための空間の位置情報、前記追加的なスペースビットマップのための空間の大きさ情報、前記追加的なスペースビットマップが指すユーザデータ領域における記録／再生単位ブロックの位置情報、前記追加的なスペースビットマップが指すユーザデータ領域における記録／再生単位ブロックの個数情報のうち少なくとも一つ以上を含むことを特徴とする請求項７に記載の記録方法。
【請求項９】
ユーザデータが記録されるユーザデータ領域と、前記ユーザデータ領域の記録／再生単位ブロックの記録状態を表すスペースビットマップが記録される臨時ディスク管理領域とを含む情報記録媒体からデータを再生する方法において、
前記臨時ディスク管理領域から、前記ユーザデータ領域の記録／再生単位ブロックの記録状態を表すための追加的な空間を提供するために、割り当てられる追加的なスペースビットマップに関する情報を再生するステップを含むことを特徴とする再生方法。
【請求項１０】
前記追加的なスペースビットマップに関する情報は、前記追加的なスペースビットマップが割り当てられたか否かを表す情報、前記追加的なスペースビットマップのための空間の位置情報、前記追加的なスペースビットマップのための空間の大きさ情報、前記追加的なスペースビットマップが指すユーザデータ領域における記録／再生単位ブロックの位置情報、前記追加的なスペースビットマップが指すユーザデータ領域における記録／再生単位ブロックの個数情報のうち少なくとも一つ以上を含むことを特徴とする請求項９に記載の再生方法。
【国際調査報告】
2012524360.tif 000017
2012524360.tif 000018
2012524360.tif 000019
2012524360.tif 000020
2012524360.tif 000021
2012524360.tif 000022